(57)【要約】【課題】本発明は、Ｖ５メッセージと他のメッセージとの間の転換を実現することに用いられるアクセス・ノードを提供する。【解決手段】本発明に係るアクセス・ノードは、別々に一つのローカル交換機と少なくとも一つのユーザー端末に通信接続されており、前記アクセス・ノードは、メッセージ転換システムを備える。前記メッセージ転換システムは、Ｖ５メッセージ・スタックと、メッセージ対応表と、メッセージ転換モジュールとを備える。前記Ｖ５メッセージ・スタックは、前記ローカル交換機から前記アクセス・ノードに送信するＶ５メッセージを受信することに用いられる。前記メッセージ対応表は、Ｖ５メッセージと文字メッセージとの間の対応関係を保存することに用いられる。前記メッセージ転換モジュールは、前記メッセージ対応表が保存した対応関係に基づいて、前記Ｖ５メッセージを対応する文字メッセージに転換することに用いられる。【選択図】図２
2007274691.tif 000002
【特許請求の範囲】
【請求項１】
メッセージ転換システムであって、
アクセス・ノードの中に設置されており、
前記アクセス・ノードは、別々にローカル交換機とユーザー端末に通信接続されており、
前記メッセージ転換システムは、Ｖ５メッセージ・スタックと、メッセージ対応表及びメッセージ転換モジュールを備え、
前記Ｖ５メッセージ・スタックは、前記ローカル交換機から前記アクセス・ノードに伝送するＶ５メッセージを受信することに用いられ、
前記メッセージ対応表は、Ｖ５メッセージと文字メッセージとの間の対応関係を保存することに用いられ、
前記メッセージ転換モジュールは、前記メッセージ対応表が保存した対応関係に基づいて、前記Ｖ５メッセージを対応する文字メッセージに転換することに用いられることを特徴とするメッセージ転換システム。
【請求項２】
ユーザー端末管理システムをさらに備えて、前記メッセージ転換システムが転換した文字メッセージをユーザー端末信号に転換してから、ユーザー端末に送信し、または前記ユーザー端末からの信号を文字メッセージに転換してから、前記メッセージ転換システムに送信することに用いられることを特徴とする請求項１に記載のメッセージ転換システム。
【請求項３】
前記Ｖ５メッセージ・スタックは、メッセージ判断モジュールを備え、前記ローカル交換機が送信するＶ５メッセージを前記ユーザー端末に送信する必要があるかどうかを判断し、前記ユーザー端末に送信する必要があるＶ５メッセージを前記メッセージ転換モジュールに転送することに用いられることを特徴とする請求項２に記載のメッセージ転換システム。
【請求項４】
文字メッセージ分析モジュールをさらに備え、Ｖ５メッセージの中の有効搭載量を転換した後の文字メッセージにカプセル化してから、前記ユーザー端末管理システムに送信し、または前記ユーザー端末管理システムからアクセス・ノードに送信する文字メッセージを受信し、前記文字メッセージを分析し、且つ前記文字メッセージをメッセージ転換モジュールに送信することに用いられることを特徴とする請求項２に記載のメッセージ転換システム。
【請求項５】
前記メッセージ転換モジュールは、さらに前記文字メッセージが前記メッセージ対応表にとっての対応関係を尋ねることに用いられ、且つ尋ねた対応関係に基づいて、前記文字メッセージを対応するＶ５メッセージに転換することを特徴とする請求項４に記載のメッセージ転換システム。
【請求項６】
前記Ｖ５メッセージ・スタックは、さらに前記転換した後のＶ５メッセージを前記ローカル交換機に送信することに用いられることを特徴とする請求項５に記載のメッセージ転換システム。
【請求項７】
前記ユーザー端末は、公共交換電話ネットワーク端末と、総合サービス・デジタル・ネットワーク終端とを備えることを特徴とする請求項２に記載のメッセージ転換システム。
【請求項８】
メッセージ転換方法であって、アクセス・ネットワーク環境に用いられ、前記アクセス・ネットワークは、ローカル交換機と、アクセス・ノード及び少なくとも一つのユーザー端末を備え、前記方法は、
Ｖ５メッセージと文字メッセージの対応関係を提供し、且つメッセージ対応表の中に保存するステップと、
前記ローカル交換機が送信するＶ５メッセージを受信するステップと、
前記メッセージ対応表の中に保存した対応関係に基づいて、前記Ｖ５メッセージを文字メッセージに転換するステップと、
を備えることを特徴とするメッセージ転換方法。
【請求項９】
前記Ｖ５メッセージを前記ユーザー端末に送信する必要があるかどうかを判断し、もし前記Ｖ５メッセージを前記ユーザー端末に送信する必要があると、前記Ｖ５メッセージが前記メッセージ対応表にとっての対応関係を尋ねるステップをさらに備えることを特徴とする請求項８に記載のメッセージ転換方法。
【請求項１０】
前記Ｖ５メッセージの中の有効搭載量を転換した後の文字メッセージにカプセル化するステップと、
前記文字メッセージを前記ユーザー端末管理システムに送信するステップと、
前記文字メッセージをユーザー端末信号に転換してからユーザー端末に送信するステップと、
をさらに備えることを特徴とする請求項９に記載のメッセージ転換方法。
【請求項１１】
もし前記Ｖ５メッセージを前記ユーザー端末に送信する必要がなければ、前記Ｖ５メッセージを前記Ｖ５メッセージ・スタックに暫く保存するステップをさらに備えることを特徴とする請求項９に記載のメッセージ転換方法。
【請求項１２】
前記ユーザー端末管理システムから送信する文字メッセージを受信するステップと、
前記文字メッセージを分析するステップと、
前記文字メッセージが前記メッセージ対応表にとっての対応関係を尋ねるステップと、
前記対応関係に基づいて、前記文字メッセージを対応するＶ５メッセージに転換するステップと、
をさらに備えることを特徴とする請求項８に記載のメッセージ転換方法。
【請求項１３】
前記文字メッセージの中の有効搭載量と転換した後のＶ５メッセージを一緒にローカル交換機に送信するステップをさらに備えることを特徴とする請求項１２に記載のメッセージ転換方法。
【請求項１４】
前記ユーザー端末が送信するユーザー端末信号を受信し、且つ前記ユーザー端末信号を文字メッセージに転換するステップをさらに備えることを特徴とする請求項１２に記載のメッセージ転換方法。
【発明の詳細な説明】
【技術分野】
【０００１】
本発明は、メッセージ転換システム及び方法に関するものであり、特にＶ５メッセージ転換システム及び方法に関するものである。
【背景技術】
【０００２】
従来のユーザー・アクセス・ネットワークにおいて、ネットワーク設備の間は大部分Ｖ５メッセージを採用して通信を行って、公共交換電話ネットワーク（Ｐｕｂｌｉｃ  Ｓｗｉｔｃｈｅｄ  Ｔｅｌｅｐｈｏｎｅ  Ｎｅｔｗｏｒｋ，ＰＳＴＮ）または総合サービス・デジタル・ネットワーク（Ｉｎｔｅｇｒａｔｅｄ  Ｓｅｒｖｉｃｅｓ  Ｄｉｇｉｔａｌ  Ｎｅｔｗｏｒｋ，ＩＳＤＮ）に関する業務を処理しようとする。例えば、ローカル交換機（ｌｏｃａｌ  ｅｘｃｈａｎｇｅ）とユーザー端末と間の通信において、ローカル交換機は、アクセス・ノード（ａｃｃｅｓｓ  ｎｏｄｅ）にＶ５メッセージを送信すると、前記アクセス・ノードは、前記Ｖ５メッセージの内容に基づいて、それを対応的なユーザー端末に転送する。
【０００３】
アクセス・ネットワーク通信過程において、常に不確定な要素のため異常が出現し、ユーザー端末の正常な作動に影響をもたらす。例えば、アクセス・ノードに問題が発生した時、ユーザー端末は、正常に通信することができない。多数のネットワーク保護者は、皆ネットワーク設備の間のメッセージ伝送を追跡することにより、ネットワーク全体の運行を監視し、且つネットワークに異常が出現した時にすぐネットワークを保護する。ユーザー数量の増加に従って、ユーザーの需要を満足するため、アクセス・ノードは、常に大規模に拡充しなければならない。
【０００４】
アクセス・ネットワーク通信において、アクセス・ノードとローカル交換機との間は、Ｖ５メッセージを採用して信号を伝送し、且つ伝統的アクセス・ノードにおいて、Ｖ５メッセージ処理とユーザー端末管理は、常に一つのシステムに整合されており、アクセス・ノードが大規模に拡充することに不便であり、同時にＶ５メッセージは、２進コード・メッセージであって、ネットワーク保護者は、前記メッセージを識別難く、従ってネットワーク保護者に多大な不便をもたらす。
【発明の開示】
【発明が解決しようとする課題】
【０００５】
本発明の第一の目的は、前記課題を解決し、メッセージ転換システムを提供し、Ｖ５メッセージと他のメッセージとの間の転換を実現することに用いられる。
【０００６】
本発明の第二の目的は、前記課題を解決し、メッセージ転換方法を提供し、Ｖ５メッセージと他のメッセージとの間の転換を実現することに用いられる。
【課題を解決するための手段】
【０００７】
前記第一目的を達成するため、本発明に係るメッセージ転換システムは、アクセス・ノードの中に設置されており、前記アクセス・ノードは、別々に一つのローカル交換機と少なくとも一つのユーザー端末に通信接続されており、前記メッセージ転換システムは、Ｖ５メッセージ・スタック（Ｓｔａｃｋ）と、メッセージ対応表（Ｍａｐｐｉｎｇ  Ｌｉｓｔ）と、メッセージ転換モジュールとを備える。前記Ｖ５メッセージ・スタックは、前記ローカル交換機が伝送するＶ５メッセージを受信することに用いられる。前記メッセージ対応表は、Ｖ５メッセージと文字メッセージとの間の対応関係を保存することに用いられる。前記メッセージ転換モジュールは、前記メッセージ対応表が保存した対応関係に基づいて、前記Ｖ５メッセージを対応する文字メッセージに転換することに用いられる。
【０００８】
前記第二目的を達成するため、本発明に係るメッセージ転換方法は、アクセス・ネットワーク環境に用いられ、前記アクセス・ネットワークは、ローカル交換機と、アクセス・ノード及び少なくとも一つのユーザー端末を備え、前期メッセージ転換方法は、Ｖ５メッセージと文字メッセージの対応関係を提供し、且つメッセージ対応表の中に保存するステップと、前記ローカル交換機が送信するＶ５メッセージを受信するステップと、前記メッセージ対応表の中に保存した対応関係に基づいて、前記Ｖ５メッセージを文字メッセージに転換するステップとを備える。
【発明の効果】
【０００９】
本発明の実施形態が提供するメッセージ転換システム及び方法は、メッセージ転換モジュールとメッセージ対応表を結合する方式を採用して、Ｖ５メッセージを文字メッセージに転換することにより、アクセス・ノードにおいて、メッセージ転換システムが文字メッセージを採用してユーザー端末管理システムと通信することにして、アクセス・ノードが大規模に拡充することに便利をもたらし、同時にネットワーク保護者がメッセージを追跡する方式を利用してネットワークの運行を監視することに便利をもたらす。
【発明を実施するための最良の形態】
【００１０】
図１は、本発明のメッセージ転換システム１００の応用環境を示す図である。図１に示すように、少なくとも一つのユーザー端末３０がアクセス・ノード１０を介してローカル交換機２０に接続する。前記ローカル交換機２０は、先ずアクセス・ノード１０にＶ５メッセージを送信し、前記アクセス・ノード１０は、受信した前記Ｖ５メッセージを転換してからユーザー端末３０に送信する。本実施形態において、前記ユーザー端末３０は、公共交換電話ネットワーク・ユーザーまたは総合サービス・デジタル・ネットワーク・ユーザーであることができる。前記アクセス・ノード１０は、メッセージ転換システム１００及びユーザー端末管理システム１２０を備える。前記メッセージ転換システム１００は、Ｖ５メッセージを文字メッセージに転換し、且つ前記ユーザー端末管理システム１２０に送信することに用いられる。前記ユーザー端末管理システム１２０は、前記メッセージ転換システム１００が転換した文字メッセージをユーザー端末信号に転換してから、対応するユーザー端末３０に送信し、または前記ユーザー端末３０からのユーザー端末信号を受信し、且つ受信した信号を文字メッセージに転換してから、前記メッセージ転換システム１００に送信することに用いられる。本実施形態において、ユーザー端末信号は、公共交換電話ネットワーク信号または総合サービス・デジタル・ネットワーク信号を備える。
【００１１】
図２は、本発明の実施形態のメッセージ転換システム１００の構成を示すブロック図である。
【００１２】
前記メッセージ転換システム１００は、Ｖ５メッセージ・スタック１０１と、メッセージ対応表１０３と、メッセージ転換モジュール１０５及び文字メッセージ分析モジュール１０７を備える。
【００１３】
前記Ｖ５メッセージ・スタック１０１は、ローカル交換機２０からアクセス・ノード１０に送信するＶ５メッセージを受信し且つ暫く保存し、前記ローカル交換機にＶ５メッセージを送信することに用いられる。前記Ｖ５メッセージ・スタック１０１は、メッセージ判断モジュール１０１１を備え、前記ローカル交換機２０が送信するＶ５メッセージを前記ユーザー端末３０に送信する必要があるかどうかを判断することに用いられる。本実施形態において、もし前記Ｖ５メッセージを前記ユーザー端末３０に送信する必要があると、前記メッセージ判断モジュール１０１１は、Ｖ５メッセージを前記メッセージ転換モジュール１０５に送信し、さもなければＶ５メッセージをＶ５メッセージ・スタックに暫く保存する。
【００１４】
前記メッセージ対応表１０３は、Ｖ５メッセージと文字メッセージとの間の対応関係を保存することに用いられる。次の表が示すものは、本実施形態のＶ５メッセージと文字メッセージとの間の対応関係であって、其の中、ただ部分的Ｖ５メッセージと文字メッセージとの間の対応関係を示す。表に示すように、Ｖ５メッセージ「１１１１１１１」は、パルス極性が正常なことを示し、其の対応する文字メッセージは「ＲＥＶ−」であって、Ｖ５メッセージ「１１１１１１０」は、パルス極性が反転なことを示し、其の対応する文字メッセージは「ＲＥＶ＋」であって、Ｖ５メッセージ「０００００００」は、ディスコネクトを示し、其の対応する文字メッセージは「ＤＩＳＣ」である。
【００１５】
【表１】
2007274691.tif 000003
【００１６】
前記メッセージ転換モジュール１０５は、前記メッセージ対応表１０３が保存したＶ５メッセージと文字メッセージとの間の対応関係に基づいて、前記Ｖ５メッセージと文字メッセージを互いに転換することに用いられる。本実施形態において、前記メッセージ転換モジュール１０５は、先ず前記メッセージ対応表１０３の中で転換しようとするＶ５メッセージまたは文字メッセージの対応関係を尋ねて、それから前記メッセージ転換モジュール１０５は、尋ねた結果に基づいて、前記Ｖ５メッセージまたは文字メッセージに対して対応的な転換を行う。
【００１７】
前記文字メッセージ分析モジュール１０７は、Ｖ５メッセージの中の有効搭載量（Ｐａｙｌｏａｄ）を転換した後の文字メッセージにカプセル化し、且つ前記文字メッセージをユーザー端末管理システム１２０に送信し、または前記ユーザー端末管理システム１２０からアクセス・ノード１０に送信した文字メッセージを分析し、且つ文字メッセージと其の有効搭載量を一緒にメッセージ転換モジュール１０５に送信する。
【００１８】
図３は、本発明の実施形態のローカル交換機からのメッセージを転換する方法を示すフローチャートである。ステップＳ３０１において、アクセス・ノード１０は、ローカル交換機２０が送信するＶ５メッセージを受信する。ステップＳ３０３において、メッセージ判断モジュール１０１１は、受信したＶ５メッセージをユーザー端末３０に送信する必要があるどうかを判断する。ステップＳ３０５において、もし前記Ｖ５メッセージをユーザー端末３０に送信する必要があると、前記メッセージ転換モジュール１０５は、前記Ｖ５メッセージがメッセージ対応表１０３にとっての対応関係を尋ねる。ステップＳ３０７において、前記メッセージ転換モジュール１０５は、尋ねた対応関係に基づいて、前記Ｖ５メッセージを対応する文字メッセージに転換し、且つ前記文字メッセージとＶ５メッセージの中の有効搭載量を一緒に文字メッセージ分析モジュール１０７に送信する。ステップＳ３０９において、文字メッセージ分析モジュール１０７は、前記Ｖ５メッセージの中の有効搭載量を転換した後の文字メッセージにカプセル化する。ステップＳ３１１において、文字メッセージ分析モジュール１０７は、前記文字メッセージをユーザー端末管理システム１２０に送信する。ステップＳ３１３において、前記ユーザー端末管理システム１２０は、前記文字メッセージをユーザー端末信号に転換してから対応するユーザー端末３０に送信する。本実施形態において、ユーザー端末信号は、公共交換電話ネットワーク信号及び総合サービス・デジタル・ネットワーク信号を備える。
【００１９】
ステップＳ３０３において、もし前記Ｖ５メッセージをユーザー端末３０に送信する必要がなければ、ステップＳ３１５に入り込み、前記Ｖ５メッセージをＶ５メッセージ・スタック１０１の中に暫く保存する。
【００２０】
図４は、本発明の実施形態の他のメッセージ転換方法のフローチャートである。以下は、ユーザー端末管理システム１２０がユーザー端末３０からのユーザー端末信号を受信した時、それをＶ５メッセージに転換する転換方法を説明する。ステップＳ４０１において、ユーザー端末管理システム１２０がユーザー端末３０からのユーザー端末信号を受信し、且つ文字メッセージに転換してから文字メッセージ分析モジュール１０７に送信する。本実施形態において、前記ユーザー端末信号は、公共交換電話ネットワーク信号または総合サービス・デジタル・ネットワーク信号であることができる。ステップＳ４０３において、文字メッセージ分析モジュール１０７は、前記文字メッセージを分析し、且つ前記文字メッセージと前記文字メッセージの中の有効搭載量を一緒にメッセージ転換モジュール１０５に送信する。ステップＳ４０５において、メッセージ転換モジュール１０５は、メッセージ対応表１０３で前記文字メッセージの対応関係を尋ねる。ステップＳ４０７において、メッセージ転換モジュール１０５は、尋ねた対応関係に基づいて、前記文字メッセージを対応するＶ５メッセージに転換し、且つ前記Ｖ５メッセージと前記文字メッセージの中の有効搭載量を一緒にＶ５メッセージ・スタック１０１に送信する。ステップＳ４０９において、前記Ｖ５メッセージ・スタック１０１は、転換した後のＶ５メッセージと其の有効搭載量を一緒にローカル交換機２０に送信する。
【００２１】
本発明の実施形態が提供するメッセージ転換システム及び方法は、メッセージ転換モジュール１０５とメッセージ対応表１０３を結合する方式を採用して、Ｖ５メッセージを文字メッセージに転換することにより、アクセス・ノード１０において、メッセージ転換システム１００が文字メッセージを採用してユーザー端末管理システム１２０と通信することにして、アクセス・ノードが大規模に拡充することに便利をもたらし、同時にネットーワーク保護者がメッセージを追跡する方式を利用してネットワークの運行を監視することに便利をもたらす。
【図面の簡単な説明】
【００２２】
【図１】本発明のメッセージ転換システムの応用環境を示す図である。
【図２】本発明の実施形態のメッセージ転換システムの構成を示すブロック図である。
【図３】本発明の実施形態のメッセージ転換方法を示すフローチャートである。
【図４】本発明の実施形態の他のメッセージ転換方法を示すフローチャートである。
【符号の説明】
【００２３】
１０  アクセス・ノード
２０  ローカル交換機
３０  ユーザー端末
１００  メッセージ転換システム
１０１  Ｖ５メッセージ・スタック
１０３  メッセージ対応表
１０５  メッセージ転換モジュール
１０７  文字メッセージ分析モジュール
１２０  ユーザー端末管理システム
１０１１  メッセージ判断モジュール
【図１】
2007274691.tif 000004
【図２】
2007274691.tif 000005
【図３】
2007274691.tif 000006
【図４】
2007274691.tif 000007